(57)【要約】【課題】操作性や利便性を確保しつつ、不正なアクセスを禁止し、機密情報の流出を防止し得る技術を提供する。【解決手段】携帯電話機１０が携帯電話網２０及びＰＳＴＮ３０を介してファクシミリ装置４０を遠隔操作する際に、携帯電話機１０がユーザの指紋情報を検出してＤＴＭＦ信号に変換し、該ＤＴＭＦ信号をファクシミリ装置４０に送信する。ファクシミリ装置４０は、受信したＤＴＭＦ信号と固有情報記憶４５とを照合して、固有情報記憶部４５に記憶されているＤＴＭＦ信号のデータと受信したＤＴＭＦ信号とが一致したときに、携帯電話機１０からの遠隔操作を許可する。【選択図】図４
2008124984.tif 000002
【特許請求の範囲】
【請求項１】
通信端末装置と、ネットワークを介して前記通信端末装置を遠隔操作する通信端末操作装置とを備える通信システムであって、
前記通信端末操作装置は、
ユーザの操作を受け付ける操作部と、
ユーザの固有情報を検出する検出部と、
前記検出部によって検出された前記固有情報を予め定められた通信規格の信号に変換する変換部と、
前記操作部が受け付けた操作に対応する操作信号と、前記変換部によって変換された前記通信規格の信号とを前記通信端末装置に送信する第１送信部と
を有し、
前記通信端末装置は、
前記送信部から送信された信号を受信する受信部と、
遠隔操作の受付を許可するユーザの固有情報に対応する前記通信規格の信号のデータを記憶する固有情報記憶部と、
前記受信部が受信した前記通信規格の信号と、前記固有情報記憶部に記憶された前記通信規格の信号のデータとを照合する照合部と、
前記照合部の照合結果に応じて前記通信端末操作装置からの遠隔操作の受付を許可する許可部と
を有する、通信システム。
【請求項２】
請求項１記載の通信システムであって、
前記通信端末装置は、発呼信号の送信元の番号を検出する番号検出部と、
前記通信端末操作装置の番号を記憶する番号記憶部と
を更に有し、
前記照合部は、発呼信号の送信元の番号が、前記番号記憶部に記憶されているときに、照合を行う、通信システム。
【請求項３】
請求項１又は請求項２記載の通信システムであって、
前記変換部は、前記検出部によって検出された前記固有情報をＤＴＭＦ信号に変換する、通信システム。
【請求項４】
通信端末装置と、ネットワークを介して前記通信端末装置を遠隔操作する通信端末操作装置とを備える通信システムであって、
前記通信端末操作装置は、
ユーザの操作を受け付ける操作部と、
ユーザの固有情報を検出する検出部と、
前記通信端末装置の遠隔操作の受付を許可するユーザの固有情報を記憶する記憶部と、
前記記憶部に記憶された固有情報に基づいて、前記検出部によって検出された固有情報を認証する認証部と、
前記認証部の認証結果に応じて遠隔操作の受付の可否を判断する判断部と、
前記操作部が受け付けた操作に対応する操作信号と、前記判断部が可と判断したことを示す信号とを前記通信端末装置に送信する第２送信部と
を有し、
前記通信端末装置は、
前記送信部から送信された信号を受信する受信部と、
前記受信部が受信した信号に応じて前記通信端末装置を制御する制御部と
を有する、通信システム。
【請求項５】
請求項１ないし請求項４の何れか記載の通信システムであって、
前記検出部が検出する固有情報は、指紋、声紋、虹彩、顔、掌紋、静脈パターンのうち少なくとも１つである、通信システム。
【請求項６】
外部の通信端末操作装置からネットワークを介して遠隔操作される通信端末装置であって、
前記通信端末操作装置から送信される信号を受信する受信部と、
遠隔操作の受付を許可するユーザの固有情報に対応する信号のデータを記憶する固有情報記憶部と、
前記受信部が受信した信号と、前記固有情報記憶部に記憶された信号のデータとを照合する照合部と、
前記照合部の照合結果に応じて遠隔操作の受付を許可する許可部と
を備える、通信端末装置。
【請求項７】
請求項６記載の通信端末装置であって、
前記通信端末装置は、発呼信号の送信元の番号を検出する番号検出部と、
前記通信端末操作装置の番号を記憶する番号記憶部と
を更に備え、
前記照合部は、発呼信号の送信元の番号が、前記番号記憶部に記憶されているときに、照合を行う、通信端末装置。
【請求項８】
請求項６又は請求項７記載の通信端末装置であって、
前記受信部は、ＤＴＭＦ信号を受信し、
前記固有情報記憶部は、遠隔操作の受付を許可するユーザの固有情報に対応するＤＴＭＦ信号のデータを記憶し、
前記照合部は、前記受信部が受信したＤＴＭＦ信号と、前記固有情報記憶部に記憶されたＤＴＭＦ信号のデータとを照合する、通信端末装置。
【請求項９】
ネットワークを介して通信端末装置を遠隔操作する通信端末操作装置であって、
ユーザの操作を受け付ける操作部と、
ユーザの固有情報を検出する検出部と、
前記検出部によって検出された前記固有情報を予め定められた通信規格の信号に変換する変換部と、
前記操作部が受け付けた操作に対応する操作信号と、前記変換部によって変換された前記通信規格の信号とを前記通信端末装置に送信する第１送信部と
を備える、通信端末操作装置。
【請求項１０】
請求項９記載の通信端末操作装置であって、
前記変換部は、前記検出部によって検出された前記固有情報をＤＴＭＦ信号に変換する、通信端末操作装置。
【請求項１１】
ネットワークを介して通信端末装置を遠隔操作する通信端末操作装置であって、
ユーザの操作を受け付ける操作部と、
ユーザの固有情報を検出する検出部と、
前記通信端末装置の遠隔操作の受付を許可するユーザの固有情報を記憶する記憶部と、
前記記憶部に記憶された固有情報に基づいて、前記検出部によって検出された固有情報を認証する認証部と、
前記認証部の認証結果に応じて遠隔操作の受付の可否を判断する判断部と、
前記操作部が受け付けた操作に対応する操作信号と、前記判断部が可と判断したことを示す信号とを前記通信端末装置に送信する第２送信部と
を備える、通信端末操作装置。
【請求項１２】
請求項１１記載の通信端末操作装置であって、
前記検出部が検出する固有情報は、指紋、声紋、虹彩、顔、掌紋、静脈パターンのうち少なくとも１つである、通信端末操作装置。
【発明の詳細な説明】
【技術分野】
【０００１】
本発明は、ファクシミリ装置等の通信端末装置を、携帯電話等の通信端末操作装置により遠隔操作する通信システム、通信端末装置及び通信端末操作装置に関する。
【背景技術】
【０００２】
従来より、ファクシミリ装置や、ファクシミリ機能を有するＭＦＰ（Multi Function Peripherals；複合機）等を電話回線等のネットワークを介して遠隔地から操作することが可能な装置が実用化されている。さらに近年では、例えば、携帯電話等の外部通信端末装置の装着手段を備えたデジタル複合機において、その外部通信端末装置を着脱することによりＭＦＰ本体を遠隔操作することが可能な装置が提案されている（特許文献１）。
【０００３】
ネットワークを介してＭＦＰを遠隔操作する場合には、次のような手順で行われることが一般的である。まず、ユーザが電話機から遠隔操作しようとするＭＦＰを発呼し、ＭＦＰが着呼したときにユーザが電話機から所定のＤＴＭＦ（Dual Tone Multi Frequency；デュアルトーン多周波数）信号を送信する。これにより、該ＭＦＰは遠隔操作を受け付けるモード（以下、「遠隔操作受付モード」と称する）に切り替わり、以降、ユーザから送信されるＤＴＭＦ信号等に対応するコマンドを実行する。
【０００４】
しかしながら、上述のような手順では、遠隔操作受付モードに切り替えるためのＤＴＭＦ信号、例えば、４桁の暗証番号を知っていれば、ユーザが誰であってもＭＦＰを遠隔操作することが可能である。また、４桁の暗証番号を知らずとも、ユーザの誤操作等によりＭＦＰが遠隔操作受付モードとなってしまうことも考えられる。したがって、不正なアクセスを禁止し、機密情報の流出を防止する措置が重要になってきている。
【０００５】
これに関連して、ＰＣ等のリモート操作装置の固有情報（シリアル番号等）やユーザアカウントを機器（ＭＦＰ）に送信し、ＭＦＰは、その受信した情報に基づいて、遠隔操作を許可するかどうかを判定するリモート操作システムが提案されている（特許文献２）。
【０００６】
【特許文献１】特開２００５−０９４７０４号公報
【特許文献２】特開２００４−３６３９６９号公報
【発明の開示】
【発明が解決しようとする課題】
【０００７】
電話機からＭＦＰを遠隔操作する場合、特許文献２に開示されているようなシリアル番号やユーザアカウントを、電話機とＭＦＰとの間で通信すると、データ量が増大してしまうため、操作性や利便性の観点から好ましくない。
【０００８】
そこで、本発明の課題は、操作性や利便性を確保しつつ、不正なアクセスを禁止し、機密情報の流出を防止し得る技術を提供することにある。
【課題を解決するための手段】
【０００９】
上記課題を解決すべく、第１の発明は、通信端末装置と、ネットワークを介して前記通信端末装置を遠隔操作する通信端末操作装置とを備える通信システムであって、前記通信端末操作装置は、ユーザの操作を受け付ける操作部と、ユーザの固有情報を検出する検出部と、前記検出部によって検出された前記固有情報を予め定められた通信規格の信号に変換する変換部と、前記操作部が受け付けた操作に対応する操作信号と、前記変換部によって変換された前記通信規格の信号とを前記通信端末装置に送信する第１送信部とを有し、前記通信端末装置は、前記送信部から送信された信号を受信する受信部と、遠隔操作の受付を許可するユーザの固有情報に対応する前記通信規格の信号のデータを記憶する固有情報記憶部と、前記受信部が受信した前記通信規格の信号と、前記固有情報記憶部に記憶された前記通信規格の信号のデータとを照合する照合部と、前記照合部の照合結果に応じて前記通信端末操作装置からの遠隔操作の受付を許可する許可部とを有する。
【００１０】
第２の発明は、第１の発明であって、前記通信端末装置は、発呼信号の送信元の番号を検出する番号検出部と、前記通信端末操作装置の番号を記憶する番号記憶部とを更に有し、前記照合部は、発呼信号の送信元の番号が、前記番号記憶部に記憶されているときに、照合を行う。
【００１１】
第３の発明は、第１又は第２の発明であって、前記変換部は、前記検出部によって検出された前記固有情報をＤＴＭＦ信号に変換する。
【００１２】
第４の発明は、通信端末装置と、ネットワークを介して前記通信端末装置を遠隔操作する通信端末操作装置とを備える通信システムであって、前記通信端末操作装置は、ユーザの操作を受け付ける操作部と、ユーザの固有情報を検出する検出部と、前記通信端末装置の遠隔操作の受付を許可するユーザの固有情報を記憶する記憶部と、前記記憶部に記憶された固有情報に基づいて、前記検出部によって検出された固有情報を認証する認証部と、前記認証部の認証結果に応じて遠隔操作の受付の可否を判断する判断部と、前記操作部が受け付けた操作に対応する操作信号と、前記判断部が可と判断したことを示す信号とを前記通信端末装置に送信する第２送信部とを有し、前記通信端末装置は、前記送信部から送信された信号を受信する受信部と、前記受信部が受信した信号に応じて前記通信端末装置を制御する制御部とを有する。
【００１３】
第５の発明は、第１ないし第４の何れかの発明であって、前記検出部が検出する固有情報は、指紋、声紋、虹彩、顔、掌紋、静脈パターンのうち少なくとも１つである。
【００１４】
第６の発明は、外部の通信端末操作装置からネットワークを介して遠隔操作される通信端末装置であって、前記通信端末操作装置から送信される信号を受信する受信部と、遠隔操作の受付を許可するユーザの固有情報に対応する信号のデータを記憶する固有情報記憶部と、前記受信部が受信した信号と、前記固有情報記憶部に記憶された信号のデータとを照合する照合部と、前記照合部の照合結果に応じて遠隔操作の受付を許可する許可部とを備える。
【００１５】
第７の発明は、第６の発明であって、前記通信端末装置は、発呼信号の送信元の番号を検出する番号検出部と、前記通信端末操作装置の番号を記憶する番号記憶部とを更に備え、前記照合部は、発呼信号の送信元の番号が、前記番号記憶部に記憶されているときに、照合を行う。
【００１６】
第８の発明は、第６又は第７の発明であって、前記受信部は、ＤＴＭＦ信号を受信し、前記固有情報記憶部は、遠隔操作の受付を許可するユーザの固有情報に対応するＤＴＭＦ信号のデータを記憶し、前記照合部は、前記受信部が受信したＤＴＭＦ信号と、前記固有情報記憶部に記憶されたＤＴＭＦ信号のデータとを照合する。
【００１７】
第９の発明は、ネットワークを介して通信端末装置を遠隔操作する通信端末操作装置であって、ユーザの操作を受け付ける操作部と、ユーザの固有情報を検出する検出部と、前記検出部によって検出された前記固有情報を予め定められた通信規格の信号に変換する変換部と、前記操作部が受け付けた操作に対応する操作信号と、前記変換部によって変換された前記通信規格の信号とを前記通信端末装置に送信する第１送信部とを備える。
【００１８】
第１０の発明は、第９の発明であって、前記変換部は、前記検出部によって検出された前記固有情報をＤＴＭＦ信号に変換する。
【００１９】
第１１の発明は、ネットワークを介して通信端末装置を遠隔操作する通信端末操作装置であって、ユーザの操作を受け付ける操作部と、ユーザの固有情報を検出する検出部と、前記通信端末装置の遠隔操作の受付を許可するユーザの固有情報を記憶する記憶部と、前記記憶部に記憶された固有情報に基づいて、前記検出部によって検出された固有情報を認証する認証部と、前記認証部の認証結果に応じて遠隔操作の受付の可否を判断する判断部と、前記操作部が受け付けた操作に対応する操作信号と、前記判断部が可と判断したことを示す信号とを前記通信端末装置に送信する第２送信部とを備える。
【００２０】
第１２の発明は、第１１の発明であって、前記検出部が検出する固有情報は、指紋、声紋、虹彩、顔、掌紋、静脈パターンのうち少なくとも１つである。
【発明の効果】
【００２１】
第１の発明によれば、通信端末操作装置から通信端末装置を遠隔操作する際に、通信端末操作装置は、ユーザの固有情報を検出して予め定められた通信規格の信号に変換して通信端末装置に送信し、通信端末装置は、受信した該通信規格の信号が固有情報記憶部に記憶された該通信規格の信号のデータと一致した場合に遠隔操作の受付を許可するので、操作性や利便性を確保しつつ、不正なアクセスを禁止し、機密情報の流出を防止することが可能となる。
【００２２】
第２の発明によれば、通信端末装置は、発呼信号の送信元の番号を検出する番号検出部と、通信端末操作装置の番号を記憶する番号記憶部とを有し、照合部は、発呼信号の送信元の番号が番号記憶部に記憶されているときに、照合を行うので、不正なアクセスを禁止し、機密情報の流出をより確実に防止することが可能となる。
【００２３】
第３の発明によれば、変換部は、検出部によって検出された固有情報をＤＴＭＦ信号に変換するので、従来の電話回線を適用することが可能となる。
【００２４】
第４の発明によれば、通信端末操作装置側でユーザの認証を行うので、通信端末操作装置と通信端末装置との通信回数を抑制して遠隔操作を円滑に行うことが可能となる。
【００２５】
第５の発明によれば、検出部が検出する固有情報は、指紋、声紋、虹彩、顔、掌紋、静脈パターンのうち少なくとも１つであるので、使用するユーザ個人を確実に特定できるため、不正なアクセスを禁止し、機密情報の流出を確実に防止することが可能となる。
【００２６】
第６の発明によれば、通信端末操作装置から通信端末装置を遠隔操作する際に、通信端末操作装置から送信される信号と、固有情報記憶部に記憶された信号のデータとが一致した場合に遠隔操作の受付を許可するので、操作性や利便性を確保しつつ、不正なアクセスを禁止し、機密情報の流出を防止することが可能となる。
【００２７】
第７の発明によれば、通信端末装置は、発呼信号の送信元の番号を検出する番号検出部と、通信端末操作装置の番号を記憶する番号記憶部とを備え、照合部は、発呼信号の送信元の番号が番号記憶部に記憶されているときに、照合を行うので、不正なアクセスを禁止し、機密情報の流出をより確実に防止することが可能となる。
【００２８】
第８の発明によれば、ＤＴＭＦ信号を用いて信号の送受信、データ記憶及び照合を行うので、従来の電話回線を適用することが可能となる。
【００２９】
第９の発明によれば、通信端末操作装置は、通信端末装置を遠隔操作する際に、検出部が検出したユーザの固有情報を予め定められた通信規格の信号に変換して、第１送信部が該通信規格の信号を通信端末装置に送信するので、万が一、通信内容を盗聴又は傍受されたとしても、固有情報そのものを特定することは困難である。そのため、個人情報を保護することが可能となる。
【００３０】
第１０の発明によれば、変換部は、検出部によって検出された固有情報をＤＴＭＦ信号に変換するので、従来の電話回線を適用することが可能となる。
【００３１】
第１１の発明によれば、通信端末操作装置側でユーザの認証を行うので、通信端末操作装置と通信端末装置との通信回数を抑制して遠隔操作を円滑に行うことが可能となる。
【００３２】
第１２の発明によれば、検出部が検出する固有情報は、指紋、声紋、虹彩、顔、掌紋、静脈パターンのうち少なくとも１つであるので、使用するユーザ個人を確実に特定できるため、不正なアクセスを禁止し、機密情報の流出を確実に防止することが可能となる。
【発明を実施するための最良の形態】
【００３３】
＜第１実施形態＞
以下、本発明の第１実施形態に係る通信システム、通信端末装置及び通信端末操作装置の一例として、ファクシミリ装置（通信端末装置）と携帯電話機（通信端末操作装置）とを備える通信システムについて、図面に基づいて説明する。
【００３４】
＜装置の構成＞
＜通信端末操作装置：携帯電話機１０の構成＞
図１は、本発明の第１実施形態に係る通信システム１００の構成例を示すブロック図であり、図２は、携帯電話機１０を示す図である。通信システム１００は、携帯電話機１０と、携帯電話網２０及びＰＳＴＮ３０と、ファクシミリ装置４０とを備えている。
【００３５】
携帯電話機１０は、操作部１１と、表示部１２と、受話部１３と、送話部１４と、検出部１５と、制御部１６と、通信部１７とを備えている。そして、操作部１１と、表示部１２と、検出部１５と、制御部１６と、通信部１７とは、バス１８を介して互いに接続されている。また、携帯電話機１０は、ネットワークの１つである携帯電話網２０やＰＳＴＮ（Public Switched Telephone Network；公衆電話網）３０を介して遠隔地にあるファクシミリ装置４０との間で通信する機能を有している。
【００３６】
操作部１１は、テンキーとファンクションキーとを有するメカニカルスイッチで構成され、番号やデータの入力、各種コマンドの実行命令等のユーザからの操作を受け付ける。特に、操作部１１は、ファクシミリ装置４０を被遠隔操作モードに切り替える切替命令を受け付ける。表示部１２は、ＬＣＤ（Liquid Crystal Display；液晶ディスプレイ）等の表示デバイスによって構成され、各種情報を表示する。受話部１３は、電気信号を音声に変換するスピーカである。送話部１４は、音声を電気信号に変換するマイクである。
【００３７】
検出部１５は、ユーザの固有情報を検出する。ここで、ユーザの固有情報とは、ユーザの指紋、声紋、虹彩、顔、掌紋又は静脈パターンのうち少なくとも１つであって、検出部１５の詳細な構造は、何れの固有情報を検出するかに応じて適宜採用される。
【００３８】
例えば、固有情報が指紋である場合、検出部１５はスウィープ型の指紋検出部１５ａによってユーザの指紋を検出する。固有情報が声紋である場合、検出部１５は送話部１４が適用されて声紋検出部（図示省略）によってユーザの声紋を検出する。固有情報が虹彩や顔、掌紋である場合、検出部１５はＣＣＤ（Charge Coupled Device；電荷結合素子）やＣＭＯＳ（Complementary Metal Oxide Semiconductor；相補型金属酸化膜半導体）等の撮像素子を有するカメラ１５ｂによってユーザの虹彩、顔又は掌紋を撮像し、各種の画像処理装置（図示省略）によって虹彩、顔又は掌紋を検出する。また、固有情報が静脈パターンである場合、カメラ１５ｂから所定距離離れた部位に照明装置１５ｃを設けて、カメラ１５ｂによって静脈パターンを撮像し、画像処理装置（図示省略）によって検出する。
【００３９】
以下、本実施形態においては、固有情報が指紋情報のみである場合を例に説明するが、不正アクセス禁止の重要度や通信内容の機密性の高さ、又は操作性に応じて、指紋情報以外でも良いし、それらを複数組み合わせても良いのは勿論である。検出する固有情報の種類に応じて検出部１５を複数個設けることにより、不正なアクセスを禁止し、機密情報の流出をより確実に防止することが可能となる。
【００４０】
制御部１６は、ＭＰＵ１６１と、ＲＯＭ１６２と、ＲＡＭ１６３とを備えている。ＭＰＵ１６１は、操作部１１からの入力信号や、該入力信号に基づくデータ演算及び出力信号の生成や、表示部１２への表示内容の制御等を行って携帯電話機１０の各機能を実現するものである。ＲＯＭ１６２は、ＭＰＵ１６１が実行するプログラムや制御に必要なデータが格納されたものであり、ＲＡＭ１６３は、ＭＰＵ１６１による統括制御に必要なデータを一時記憶するものである。これにより、携帯電話機１０の各種機能が実現される。
【００４１】
図３は、各キーのＤＴＭＦ信号の周波数テーブルを示す図である。制御部１６は、操作部１１のテンキーが操作されると各キーに対応した周波数（低群＋高群の周波数）のＤＴＭＦ信号を生成し通信部１７から送信させる機能も有している。具体例を挙げれば、ユーザが操作部１１のテンキーのうち“２”を押すと、制御部１６は、６９７Ｈｚ＋１３３６Ｈｚの周波数をもつＤＴＭＦ信号を生成する。そして、所定の操作を行うか又は自動的に通信部１７から送信させる。これにより、例えば、ファクシミリ装置４０との通信が開始されたときに、ユーザが操作部１１を操作してファクシミリ装置４０を被遠隔操作モードに切り替える命令（“＊０＃”等）を入力すれば、図３に示したテーブルで対応する周波数のＤＴＭＦ信号を生成して通信部１７から送信させることができる。また、ファクシミリ装置４０が被遠隔操作モードになっている状態で、ユーザが操作部１１を操作して所定の操作（例えば、“＃００４”等）と入力すれば、同テーブルで対応する周波数のＤＴＭＦ信号を生成して通信部１７から送信させることができる。
【００４２】
また、制御部１６は、本発明の変換部としての機能を有している。具体的には、指紋検出部１５ａによって検出された指紋情報を予め定められた通信規格の信号に変換する。より具体的には、検出した指紋情報を予め定められた手順に従って、該指紋情報と対応する８桁ないし１６桁程度、例えば、１０桁のＤＴＭＦ信号に変換する。
【００４３】
通信部１７は、本実施形態において第１送信部に相当し、ＣＯＤＥＣ（COder-DECoder；コーダ−デコーダ）１７１と、ベースバンド処理部１７２と、ＲＦ（Radio Frequency）回路部１７３とを備えている。そして、通信部１７は、ＭＰＵ１６１からの制御により、携帯電話網２０及びＰＳＴＮ３０を介して接続されたファクシミリ装置４０との間でデータや信号の送受信を行うものである。ここで、通信部１７から送信される信号の中には、ユーザが操作部１１を操作することによって生成される操作信号や、制御部１６によってユーザの指紋情報から変換された該通信規格の信号、具体的にはＤＴＭＦ信号が含まれる。
【００４４】
＜通信端末装置：ファクシミリ装置４０の構成＞
図４は、通信システム１００のファクシミリ装置４０の構成例を示すブロック図である。ファクシミリ装置４０は、操作部４１と、表示部４２と、読取部４３と、描画部４４と、固有情報記憶部４５と、制御部４６と、通信部４７とを備えており、これらがバス４８を介して互いに接続されている。また、ファクシミリ装置４０は、携帯電話網２０及びＰＳＴＮ３０を介して遠隔地にある携帯電話機１０との間で通信する機能を有している。
【００４５】
操作部４１は、メカニカルスイッチで構成され、発信やデータ入力、各種コマンドの実行命令等のユーザからの操作を受け付ける。表示部４２は、ＬＣＤ等の表示デバイスによって構成され、各種情報を表示する。なお、表示部４２にタッチパネルディスプレイを適用して、操作部４１の一部又は全ての機能を兼ね備えるようにしても良い。読取部４３は、送信原稿をＣＣＤ（Charge Coupled Device；電荷結合素子）等により光学的に読み取って画像データを生成する。描画部４４は、画像データを記憶する画像メモリ（図示省略）を有し、記録紙カセット（図示省略）内に載置された記録紙上に画像メモリに記憶された画像データを記録する。
【００４６】
固有情報記憶部４５は、例えば、不揮発性メモリが適用されて、ファクシミリ装置４０を遠隔操作することを許可されたユーザ（以下、「許可ユーザ」とも称す）の指紋情報に対応する予め定められた通信規格の信号、具体的には８桁ないし１６桁程度、例えば、１０桁のＤＴＭＦ信号のデータを記憶する。固有情報記憶部４５への登録は、ファクシミリ装置４０に固有情報検出部（図示省略）と該固有情報検出部によって検出された固有情報、すなわち指紋情報を予め定められた手順に従ってＤＴＭＦ信号に変換する変換部（図示省略）を更に設けて、許可ユーザの指紋情報に対応するＤＴＭＦ信号のデータを登録する。ただし、この場合の変換手順は、携帯電話機１０の制御部１６による変換手順と同じであることが必要である。又は、携帯電話機１０の指紋検出部１５ａによって検出され、制御部１６によってＤＴＭＦ信号に変換され、通信部１７から送信されるＤＴＭＦ信号のデータを登録するようにしても良い。
【００４７】
制御部４６は、ＭＰＵ４６１と、ＲＯＭ４６２と、ＲＡＭ４６３とを備えている。ＭＰＵ４６１は、操作部４１からの入力信号や、該入力信号に基づくデータ演算及び出力信号の生成や、表示部４２への表示内容の制御等を行ってファクシミリ装置４０の各機能を実現するものである。ＲＯＭ４６２は、ＭＰＵ４６１が実行するプログラムや制御に必要なデータが格納されたものであり、ＲＡＭ４６３は、ＭＰＵ４６１による統括制御に必要なデータを一時記憶するものである。これにより、ファクシミリ装置４０の各種機能が実現される。
【００４８】
特に、制御部４６は、回線接続された後に、携帯電話機１０の操作部１１が受け付けて通信部１７から送信された“＊０＃”等の所定の操作に対応するＤＴＭＦ信号を受信した場合には、該ＤＴＭＦ信号を送信した相手（携帯電話機１０）に対して、自装置の遠隔操作を許可するか否かの認証処理を実行する。そして、認証処理を経て被遠隔操作モードになっている状態では、携帯電話機１０から送信されるＤＴＭＦ信号に対応するコマンドを実行する。具体的には、被遠隔操作モードで外部から送信される所定のＤＴＭＦ信号データとそれに対応するコマンドの実行に必要なデータと、コマンドを実行するプログラムを、ＲＯＭ１６２が格納している。そして、ＭＰＵ１６１がＲＯＭ１６２に格納されているデータ及びプログラムに基づいて、各種コマンドを実行する。
【００４９】
例えば、被遠隔操作モードで携帯電話機１０から“＃００４”に対応するＤＴＭＦ信号を受信した場合には、それに対応するコマンドを実行する。なお、被遠隔操作モードで実行可能なコマンドとしては、許可ユーザの設定登録、着信拒否設定、ポーリング受信設定やスリープ設定等のユーティリティ設定、又は管理データや、メモリに蓄積された受信データの転送等が含まれる。ここで、転送するデータをＰＤＦ（Portable Document Format）ファイルに変換した上で転送するようにしても良い。
【００５０】
また、制御部４６は、本発明の照合部及び許可部としての機能を有している。具体的には、制御部４６は、被遠隔操作モードへの切替命令を示す信号を受信した後で、該信号を送信した相手（携帯電話機１０）に対して、ユーザの固有情報の送信を要求する。その後、ユーザの指紋情報から変換されたＤＴＭＦ信号を通信部４７が受信し、受信したＤＴＭＦ信号と、固有情報記憶部４５に記憶されたＤＴＭＦ信号のデータとを照合する。そして、制御部４６は、照合結果に応じて携帯電話機１０からの遠隔操作の受付許可／不許可を決定する。
【００５１】
ここで、通信部４７が受信したＤＴＭＦ信号と、固有情報記憶部４５に記憶されたＤＴＭＦ信号のデータとが合致した場合には、「遠隔操作が許可されました。ご希望の操作を入力してください。」等のアナウンスを携帯電話機１０に送信する。また、通信部４７が受信したＤＴＭＦ信号と、固有情報記憶部４５に記憶されたＤＴＭＦ信号のデータとが合致しない場合には、携帯電話機１０から送信される以降の信号を拒否しても良いし、「もう一度入力してください。」等のアナウンスを携帯電話機１０に送信して再入力を促しても良い。
【００５２】
通信部４７は、本発明の受信部に相当し、ＭＯＤＥＭ４７１と、ＮＣＵ４７２と、ＣＯＤＥＣ４７３とを備えている。そして、通信部４７は、携帯電話機１０の通信部１７から送信された信号を受信する。具体的には、ＭＰＵ４６１からの制御により、携帯電話網２０及びＰＳＴＮ３０を介して接続された携帯電話機１０との間でデータやＤＴＭＦ信号の送受信を行うものである。
【００５３】
＜通信システム１００＞
次に、上述の携帯電話機１０とファクシミリ装置４０とを適用した通信システム１００について説明する。
【００５４】
図５は、携帯電話機１０の処理動作を示すフローチャートであり、図６は、ファクシミリ装置４０の処理動作を示すフローチャートである。これらのフローチャートでは、携帯電話機１０の処理動作を示すフローチャート（ステップＳ５０１〜Ｓ５０７）と、ファクシミリ装置４０の処理動作を示すフローチャート（ステップＳ６０１〜Ｓ６１１）とをＧ１〜Ｇ６によって対応付けて示している。
【００５５】
なお、図５及び図６には、特にファクシミリ装置４０を遠隔操作するための処理動作のみを示し、その他の処理動作については図示及び説明を省略している。また、特に記載のない場合は、携帯電話機１０における一連の処理動作（ステップＳ５０１〜Ｓ５０７）は制御部１６の制御下で、ファクシミリ装置４０における一連の処理動作（ステップＳ６０１〜Ｓ６１１）は制御部４６の制御下で、各々自動的に行われる。
【００５６】
携帯電話機１０のユーザが、ファクシミリ装置４０のファックス番号を入力すると、携帯電話機１０はファクシミリ装置４０に対して発呼信号を送信する（ステップＳ５０１）。そして、これを受けてファクシミリ装置４０が該発呼信号を受信する（ステップＳ６０１）。
【００５７】
ファクシミリ装置４０は、ステップＳ６０１において発呼信号を受信すると、通信相手が画像データを送信しようとしているファクシミリ装置であるか否か、すなわち通常受信か否かを判断し（ステップＳ６０２）、通常受信であればＹｅｓを選択して通常受信（画像データの受信）動作を実行する（ステップＳ６０３）。一方、ステップＳ６０２においてＮｏを選択した（すなわち、通常受信ではない）場合には、ＤＴＭＦ信号を受信するまで待機する（ステップＳ６０４）。
【００５８】
携帯電話機１０のユーザは、ファクシミリ装置４０との間の回線が接続されると、操作部１１を操作して、ファクシミリ装置４０を被遠隔操作モードに切り替える命令を示す切替命令（所定のＤＴＭＦ信号）を送信する（ステップＳ５０２）。
【００５９】
ファクシミリ装置４０は、ＤＴＭＦ信号を受信するとステップＳ６０４においてＹｅｓを選択して、受信したＤＴＭＦ信号が被遠隔操作モードへの切替命令か否かを判断し（ステップＳ６０５）、切替命令であればＹｅｓを選択して携帯電話機１０に対して固有情報の送信を要求する。一方、切替命令でなければＮｏを選択して回線断か否かを判断する（ステップＳ６０６）。
【００６０】
携帯電話機１０のユーザは、ステップＳ６０５においてＹｅｓを選択された（すなわち、ステップＳ５０２で入力送信したＤＴＭＦ信号が被遠隔操作モードへの切替命令と判断された）場合、ファクシミリ装置４０からの固有情報送信要求に応じてユーザの固有情報検出処理を行う（ステップＳ５０３）。そして、検出結果を１０桁のＤＴＭＦ信号に変換してファクシミリ装置４０に送信する（ステップＳ５０４）。
【００６１】
ファクシミリ装置４０は、ステップＳ６０５でＹｅｓを選択した後の固有情報の送信要求に対して、ＤＴＭＦ信号を受信するまで待機する（ステップＳ６０７）。携帯電話機１０がステップＳ５０４で送信したＤＴＭＦ信号を受信すると、ステップＳ６０７においてＹｅｓを選択して、固有情報記憶部４５を参照しながら、該ＤＴＭＦ信号に対応する許可ユーザはいるか否かを判断する（ステップＳ６０８）。
【００６２】
ファクシミリ装置４０は、ステップＳ６０８においてＮｏを選択する（すなわち、携帯電話機１０のユーザが遠隔操作することを許可された許可ユーザでない）と、携帯電話機１０に対して遠隔操作不許可通知を送信して（ステップＳ６０９）、回線断か否かを判断する（ステップＳ６０６）。一方、ステップＳ６０８においてＹｅｓを選択する（すなわち、携帯電話機１０のユーザが許可ユーザである）と、携帯電話機１０に対して遠隔操作許可通知を送信する（ステップＳ６１０）。
【００６３】
携帯電話機１０のユーザは、ファクシミリ装置４０がステップＳ６０９又はＳ６１０で送信した通知を受信して、遠隔操作を許可されたか否かを判断する（ステップＳ５０５）。そして、ステップＳ５０５においてＮｏの選択がなされた（すなわち、ファクシミリ装置４０がステップＳ６０９の不許可通知を送信した）場合には、回線断か否かを選択する（ステップＳ５０６）。一方、ステップＳ５０５においてＹｅｓの選択がなされた（すなわち、ファクシミリ装置４０がステップＳ６１０の許可通知を送信した）場合には、ユーザが所望するコマンドを入力して遠隔操作処理を実行する（ステップＳ５０７）。このとき、ファクシミリ装置４０にあっては、被遠隔操作処理を実行してユーザが携帯電話機１０を介して入力したコマンドを実行する（ステップＳ６１１）。
【００６４】
そして、遠隔操作処理（ステップＳ５０７）及び被遠隔操作処理（ステップＳ６１１）が終了したか又は該処理を実行中にユーザが回線断を実行したかか否かを選択し（ステップＳ５０６，Ｓ６０６）、Ｙｅｓを選択した場合には処理を終了する。
【００６５】
以上のように、携帯電話機１０からファクシミリ装置４０を遠隔操作する際に、携帯電話機１０は、ユーザの固有情報を検出して予め定められた通信規格の信号に変換してファクシミリ装置４０に送信し、ファクシミリ装置４０は、受信した該通信規格の信号が固有情報記憶部４５に記憶された該通信規格の信号のデータと一致した場合に遠隔操作の受付を許可するので、操作性や利便性を確保しつつ、不正なアクセスを禁止し、機密情報の流出を防止することが可能となる。
【００６６】
ここで、制御部１６は、検出部１５によって検出された固有情報をＤＴＭＦ信号に変換するので、携帯電話網２０及びＰＳＴＮ３０を適用することが可能となる。
【００６７】
また、検出部１５が検出する固有情報は、指紋、声紋、虹彩、顔、掌紋、静脈パターンのうち少なくとも１つであるので、使用するユーザ個人を確実に特定できるため、不正なアクセスを禁止し、機密情報の流出を確実に防止することが可能となる。
【００６８】
また、携帯電話機１０からファクシミリ装置４０を遠隔操作する際に、携帯電話機１０から送信される信号と、固有情報記憶部４５に記憶された信号のデータとが一致した場合に遠隔操作の受付を許可するので、操作性や利便性を確保しつつ、不正なアクセスを禁止し、機密情報の流出を防止することが可能となる。
【００６９】
また、ＤＴＭＦ信号を用いて信号の送受信、データ記憶及び照合を行うので、携帯電話網２０及びＰＳＴＮ３０を適用することが可能となる。
【００７０】
さらに、携帯電話機１０は、ファクシミリ装置４０を遠隔操作する際に、指紋検出部１５ａが検出したユーザの指紋情報をＤＴＭＦ信号に変換して、通信部１７が該ＤＴＭＦ信号をファクシミリ装置４０に送信するので、万が一、通信内容を盗聴又は傍受されたとしても、指紋情報そのものを特定することは困難である。そのため、個人情報を保護することが可能となる。
【００７１】
＜第２実施形態＞
次に、本発明の第２実施形態に係る通信端末装置の一例として、ファクシミリ装置が着呼時に相手先の番号を検出する機能を有している場合について、図面に基づいて説明する。なお、上記第１実施形態と同様の機能を有するものは同一符号を付してその説明を省略する。
【００７２】
＜通信端末装置：ファクシミリ装置７０の構成＞
図７は、本発明の第２実施形態に係る通信システム７００の構成例を示すブロック図である。ファクシミリ装置７０は、ファクシミリ装置４０の構成に加えて、番号記憶部４９を更に有している。番号記憶部４９は、例えば、不揮発性メモリが適用されて、遠隔操作の受付を許可する携帯電話機等の電話番号を記憶する。
【００７３】
また、制御部４６Ａが、第１実施形態の制御部４６が有する機能に加えて、発呼信号の送信元の番号を検出する番号検出部としての機能を有している。具体的には、制御部４６Ａは、発呼信号の送信元の番号を検出して、該番号が番号記憶部４９に記憶されているか否かを判断する。そして、該番号が番号記憶部４９に記憶されていれば、照合を行う、つまり、被遠隔操作モードへの切替命令の継続を受け付ける。一方、該番号が番号記憶部４９に記憶されていなければ、照合を行わない、つまり、被遠隔操作モードへの切替命令継続を拒否する。
【００７４】
より具体的には、ファクシミリ装置７０が、例えば、携帯電話機１０からの発呼信号を受信すると、制御部４６Ａが携帯電話機１０の電話番号を検出して、該番号が番号記憶部４９に記憶されているか否かを判断する。そして、該番号が番号記憶部４９に記憶されていれば、被遠隔操作モードへの切替命令の継続（携帯電話機１０のユーザが入力送信する所定のＤＴＭＦ信号）を受け付けて、以降は上記第１実施形態同様に固有情報の送信を要求し、遠隔操作を許可するか否かを判断して、許可されれば被遠隔操作処理を実行する。一方、携帯電話機１０の番号が番号記憶部４９に記憶されていないか又は携帯電話機１０が番号非通知でファクシミリ装置７０に発呼信号を送信した場合には、被遠隔操作モードへの切替命令を始めとする以降の処理を拒否する。
【００７５】
＜通信システム７００＞
次に、上述の携帯電話機１０とファクシミリ装置７０とを適用した通信システム７００について説明する。
【００７６】
図８は、通信システム７００の処理動作を示すフローチャートである。このフローチャートでは、携帯電話機１０の処理動作を示すフローチャート（ステップＳ８１１，Ｓ８１２）と、ファクシミリ装置７０の処理動作を示すフローチャート（ステップＳ８７１〜Ｓ８７６）とを対応付けて示している。
【００７７】
なお、図８には、特にファクシミリ装置７０を遠隔操作するための処理動作のみを示し、その他の処理動作については図示及び説明を省略している。また、特に記載のない場合は、携帯電話機１０における一連の処理動作（ステップＳ８１１，Ｓ８１２）は、制御部１６の制御下で、ファクシミリ装置７０における一連の処理動作（ステップＳ８７１〜Ｓ８７６）は制御部４６Ａの制御下で、各々自動的に行われる。
【００７８】
携帯電話機１０のユーザが、ファクシミリ装置７０のファックス番号を入力すると、携帯電話機１０はファクシミリ装置７０に対して発呼信号を送信する（ステップＳ８１１）。そして、これを受けてファクシミリ装置７０が該発呼信号を受信する（ステップＳ８７１）。
【００７９】
ファクシミリ装置７０は、ステップＳ８７１において発呼信号を受信すると、通信相手が画像データを送信使用としているファクシミリ装置であるか否か、すなわち通常受信か否かを判断し（ステップＳ８７２）、通常受信であればＹｅｓを選択して通常受信（画像データの受信）動作を実行する（ステップＳ８７３）。一方、ステップＳ８７２においてＮｏを選択した（すなわち、通常受信でない）場合には、発呼信号の送信元の番号を検出して、その番号が番号記憶部４９に記憶されているか否かを判断する（ステップＳ８７４）。
【００８０】
そして、ファクシミリ装置７０は、発呼信号の送信元の番号が番号記憶部４９に記憶されていなければ、ステップＳ８７４においてＮｏを選択し、携帯電話機１０に対して、以降の操作を拒否する拒否通知を送信する（ステップＳ８７５）。その後、図６のＡに進んで以降の処理を実行する。一方、発呼信号の送信元の番号が番号記憶部４９に記憶されていれば、ステップＳ８７４においてＹｅｓを選択し、携帯電話機１０に対して、以降の操作を許可する許可通知を送信する（ステップＳ８７６）。その後、図６のＢに進んで以降の処理を実行する。なお、制御部４６Ａは第１実施形態の制御部４６が有する機能も有しているので、上述した通信システム１００についての説明で、図６のＡ及びＢ以降は、ファクシミリ装置４０をファクシミリ装置７０に読み替える。
【００８１】
携帯電話機１０のユーザは、ファクシミリ装置７０がステップＳ８７５又はＳ８７６で送信した通知を受信して、以降の操作を許可されたか否かを判断する（ステップＳ８１２）。そして、ステップＳ８１２においてＮｏの選択がなされた（すなわち、ファクシミリ装置７０がステップＳ８７５の拒否通知を送信した）場合には、図５のＣに進んで以降の処理を実行する。一方、ステップＳ８１２においてＹｅｓの選択がなされた（すなわち、ファクシミリ装置７０がステップＳ８７６の許可通知を送信した）場合には、図５のＤに進んで以降の処理を実行する。
【００８２】
以上のように、ファクシミリ装置７０は、発呼信号の送信元の番号を検出する制御部４６Ａと、携帯電話機１０の番号を記憶する番号記憶部４９とを有し、制御部４６Ａは、発呼信号の送信元の番号が、番号記憶部に記憶されているときに、照合を行うので、不正なアクセスを禁止し、機密情報の流出をより確実に防止することが可能となる。
【００８３】
＜第３実施形態＞
上記第１及び第２実施形態では、携帯電話機（通信端末操作装置）１０がユーザの固有情報を検出及び変換してファクシミリ装置（通信端末装置）４０，７０に送信し、ファクシミリ装置４０，７０が送信された信号のデータを照合する場合を例に説明した。本実施形態では、通信端末操作装置側でデータの照合を行う場合について、図面に基づいて説明する。なお、上記第１及び第２実施形態と同様の機能を有するものは同一符号を付してその説明を省略する。
【００８４】
＜装置の構成及び機能＞
＜通信端末操作装置：携帯電話機９０の構成＞
図９は、本発明の第３実施形態に係る通信システム９００の構成及び機能を示すブロック図である。通信システム９００は、携帯電話機９０と、携帯電話網２０及びＰＳＴＮ３０と、ファクシミリ装置９１とを備えている。
【００８５】
携帯電話機９０は、上述の携帯電話機１０と略同様の構成で、操作部１１Ｂと、検出部１５と、制御部１６Ｂと、通信部１７Ｂと、記憶部１９とを備えている。操作部１１Ｂは、操作部１１の機能を有する外、ファクシミリ装置９１との間の回線が接続されている状態で、ユーザの認証処理を開始する命令を受け付ける。記憶部１９は、不揮発性メモリが適用されて、通信端末装置であるファクシミリ装置９１の遠隔操作の受付を許可するユーザの固有情報を記憶する。具体例を挙げれば、携帯電話機９０の所有者の指紋情報等を記憶する。なお、記憶部１９が記憶するユーザの固有情報は、必ずしも指紋情報である必要はなく、指紋、声紋、虹彩、顔、掌紋、静脈パターンのうち少なくとも１つであれば良い。その場合、検出部１５は、記憶部１９に記憶される種別の固有情報を検出可能な構成が適用される。
【００８６】
制御部１６Ｂは、ＭＰＵ、ＲＯＭ及びＲＡＭが協働して動作することにより、携帯電話機９０の各機能を実現する。特に、制御部１６Ｂは、認証部１６４と判断部１６５としての機能を有している。認証部１６４は、記憶部１９に記憶された固有情報に基づいて、検出部１５によって検出された固有情報を認証する。具体的には、例えば、検出部１５が、指紋検出部１５ａ（図２参照）である場合には、ファクシミリ装置９１の遠隔操作を許可するユーザの指紋情報を記憶部１９が記憶している。そして、認証部１６４は、指紋検出部１５ａによって検出された指紋情報と、記憶部１９に記憶された指紋情報とを比較して、検出された指紋情報が、ファクシミリ装置９１の遠隔操作を許可されたユーザの指紋情報であるか否かを認証し、認証結果を判断部１６５に伝達する。
【００８７】
判断部１６５は、認証部１６４の認証結果に応じて遠隔操作の受付の可否を判断する。具体的には、認証部１６４による認証の結果、検出された指紋情報を有するユーザが、ファクシミリ装置９１の遠隔操作を許可されたユーザである場合には、可と判断し、通信部１７Ｂに伝達する。一方、検出された指紋情報を有するユーザが、ファクシミリ装置９１の遠隔操作を許可されていないユーザである、すなわち、携帯電話機９０の所有者でない場合には、否と判断し、一連の処理を終了する。
【００８８】
通信部１７Ｂは、本発明の第２送信部に相当し、操作部１１Ｂが受け付けた操作に対応する操作信号と、判断部１６５が可と判断したことを示す信号をファクシミリ装置９１に送信する。具体的には、判断部１６５が可と判断すると、ファクシミリ装置９１を被遠隔操作モードに切り替える切替命令信号をファクシミリ装置９１に送信する。なお、本実施形態において、操作信号及び切替命令信号はＤＴＭＦ信号であるとするが、ファクシミリ装置９１が受信可能な他の通信規格に準拠した信号であっても構わない。その場合、携帯電話網２０及びＰＳＴＮ３０は、該通信規格の信号に対応したネットワークが代わりに適用される。
【００８９】
ファクシミリ装置９１は、携帯電話網２０及びＰＳＴＮ３０を介した遠隔操作を受け付けることが可能なファクシミリ装置が適用されて、通信部４７Ｂと制御部４６Ｂとを有している。通信部４７Ｂは、本発明の受信部に相当し、通信部１７Ｂから送信された信号を受信する。制御部４６Ｂは、通信部４７Ｂが受信した信号に応じてファクシミリ装置９１を制御する。具体的には、被遠隔操作モードへの切替命令を示す信号を携帯電話機９０から送信された場合には、被遠隔操作モードに切り替えて、携帯電話機９０から送信される信号に応じた処理を実行する。
【００９０】
ここで、切替命令信号を予め定められた通信規格の信号、例えば、１０桁程度のＤＴＭＦ信号とすれば、本来、遠隔操作の受付が許可されていないユーザの誤操作等により被遠隔操作モードに切り替わってしまうことを抑制又は防止することが可能となる。
【００９１】
＜通信システム９００＞
次に、上述の携帯電話機９０とファクシミリ装置９１とを適用した通信システム９００について説明する。
【００９２】
図１０は、通信システム９００の動作を示すフローチャートである。ここで、本フローチャートでは、携帯電話機９０がファクシミリ装置９１を遠隔操作するための処理動作のみを示し、その他の処理動作については図示及び説明を省略している。また、特に記載のない場合は、携帯電話機９０における一連の処理動作（ステップＳ１０１〜Ｓ１１６）は制御部１６Ｂの制御下で、ファクシミリ装置９１における一連の処理動作（ステップＳ１１１〜Ｓ１１５）は制御部４６Ｂの制御下で、各々自動的に行われる。なお、ここでは、記憶部１９には、既にファクシミリ装置９１の遠隔操作を許可されたユーザの指紋情報が記憶されているものとする。
【００９３】
携帯電話機９０のユーザが、ファクシミリ装置９１のファックス番号を入力すると、携帯電話機９０はファクシミリ装置９１に対して発呼信号を送信する（ステップＳ１０１）。そして、これを受けてファクシミリ装置９１が該発呼信号を受信する（ステップＳ１１１）。
【００９４】
ファクシミリ装置９１は、ステップＳ１１１において発呼信号を受信すると、通信相手が画像データを送信しようとしているファクシミリ装置であるか否か、すなわち通常着信か否かを判断し（ステップＳ１１２）、通常着信であればＹｅｓを選択して通常受信（画像データの受信）動作を実行する（ステップＳ１１３）。一方、ステップＳ１１２においてＮｏを選択した（すなわち、通常受信ではない）場合には、切替命令信号を受信するまで待機する（ステップＳ１１４）。また、切替命令信号を受信する前に、回線が断たれた場合には、ステップＳ１１５においてＹｅｓを選択して処理を終了する。
【００９５】
携帯電話機９０のユーザは、ファクシミリ装置９１との間の回線が接続されると、操作部１１Ｂを操作して、認証処理の開始を携帯電話機９０に命令する。そしてまず、ユーザの固有情報検出処理を行う（ステップＳ１０２）。次に、指紋検出部１５ａ（図２参照）によって検出された指紋情報と、記憶部１９に記憶された指紋情報とを比較して、検出された指紋情報が、ファクシミリ装置９１の遠隔操作を許可されたユーザの指紋情報であるか否かを認証する（ステップＳ１０３）。
【００９６】
ステップＳ１０３での認証の結果に応じて、判断部１６５は、遠隔操作の受付を許可するか否かを判断する（ステップＳ１０４）。判断の結果、遠隔操作の受付を許可する場合には、Ｙｅｓを選択して切替命令信号をファクシミリ装置９１に送信する（ステップＳ１０５）。一方、判断の結果、遠隔操作の受付を許可しない場合には、一連の処理を終了して、回線が断たれるまで待機する（ステップＳ１０６）。
【００９７】
ファクシミリ装置９１の通信部４７Ｂが切替命令信号を受信すると、ステップＳ１１４においてＹｅｓを選択して被遠隔操作処理を実行する（ステップＳ１１６）。これを受けて、携帯電話機９０はファクシミリ装置９１の遠隔操作処理を実行する（ステップＳ１０７）。
【００９８】
そして、遠隔操作処理（ステップＳ１０７）及び被遠隔操作処理（ステップＳ１１６）が終了したか又は該処理を実行中にユーザが回線断を実行したか否かを選択し（ステップＳ１０６，Ｓ１１５）、Ｙｅｓを選択した場合には処理を終了する。
【００９９】
以上のように、携帯電話機（通信端末操作装置）９０側でユーザの認証を行うので、携帯電話機９０とファクシミリ装置（通信端末装置）１００との通信回数を抑制して遠隔操作を円滑に行うことが可能となる。
【０１００】
また、検出部１５が検出する固有情報は、指紋、声紋、虹彩、顔、掌紋、静脈パターンのうち少なくとも１つであるので、使用するユーザ個人を確実に特定できるため、不正なアクセスを禁止し、機密情報の流出を確実に防止することが可能となる。
【０１０１】
＜変形例＞
以上、本発明の実施形態について説明したが、本発明は上述した内容のものに限定されるものではない。
【０１０２】
例えば、ファクシミリ装置４０，７０，９１は、ファクシミリ機能の外、コピー機能、スキャナ機能等を複合したＭＦＰであっても構わないのは勿論である。
【０１０３】
また、指紋検出部１５ａ、カメラ１５ｂ、照明装置１５ｃ、さらには声紋検出部（図示省略）や画像処理装置（図示省略）は、必ずしも携帯電話機１０，９０と一体に設けられている必要はなく、携帯電話機１０，９０と別体に設けられた検出装置として携帯電話機１０，９０に接続されるようにしても良い。
【０１０４】
図１１は、検出部１５及び変換部の変形例に係る検出装置１１０を示す図である。検出装置１１０に、指紋検出部１５ａが検出した情報をＤＴＭＦ信号に変換する変換部１１１と、通信端末操作装置に接続可能な接続部１１２とを設け、外部機器として公衆電話機や家庭用電話機、あるいは一般の携帯電話機等に接続すれば、通信端末操作装置は専用の携帯電話機１０に限らず、公衆電話機や家庭用電話機、あるいは一般の携帯電話機等にも適用可能となる。
【０１０５】
なお、本発明に係るファクシミリ装置４０，７０，１００は、上述の処理を行うことが可能な回路構成であっても良く、上述の各工程に限定されるものでもない。
【図面の簡単な説明】
【０１０６】
【図１】本発明の第１実施形態に係る通信システムの携帯電話機の構成例を示すブロック図である。
【図２】携帯電話機を示す図である。
【図３】各キーのＤＴＭＦ信号の周波数テーブルを示す図である。
【図４】通信システムのファクシミリ装置の構成例を示すブロック図である。
【図５】ファクシミリ装置の処理動作を示すフローチャートである。
【図６】携帯電話機の処理動作を示すフローチャートである。
【図７】本実施形態の第２実施形態に係る通信システムのファクシミリ装置の構成例を示すブロック図である。
【図８】通信システムの処理動作を示すフローチャートである。
【図９】本発明の第３実施形態に係る通信システムの構成及び機能を示すブロック図である。
【図１０】通信システムの動作を示すフローチャートである。
【図１１】検出部及び変換部の変形例に係る検出装置を示す図である。
【符号の説明】
【０１０７】
１００，７００，９００  通信システム
１０，９０  携帯電話機
１１，１１Ｂ  操作部
１５  検出部
１５ａ  指紋検出部
１５ｂ  カメラ
１５ｃ  照明装置
１６，１６Ｂ  制御部
１７，１７Ｂ  通信部
２０  携帯電話網
３０  ＰＳＴＮ
４０，７０，９１  ファクシミリ装置
４５  固有情報記憶部
４６，４６Ａ，４６Ｂ  制御部
４７，４７Ｂ  通信部
９１  変換部
【図１】
2008124984.tif 000003
【図２】
2008124984.tif 000004
【図３】
2008124984.tif 000005
【図４】
2008124984.tif 000006
【図５】
2008124984.tif 000007
【図６】
2008124984.tif 000008
【図７】
2008124984.tif 000009
【図８】
2008124984.tif 000010
【図９】
2008124984.tif 000011
【図１０】
2008124984.tif 000012
【図１１】
2008124984.tif 000013